(57)【要約】【課題】ユーザの帰宅予想時刻が変わったとしても、帰宅予想時刻までにユーザの宅内を適度な温度に暖房することができる技術を提供する。【解決手段】暖房装置が、ユーザが帰宅すると予想される帰宅予想時刻より前の所定の暖房運転開始時刻になると、帰宅予想時刻におけるユーザの宅内の温度が所定の暖房目標温度になるように所定の熱量でユーザの宅内を暖房するプレ暖房運転を実行し、ユーザが携帯端末装置に対して所定の操作を行うと、前記携帯端末装置が、ネットワークを介して帰宅情報を送信し、制御手段が、ネットワークを介して前記携帯端末装置が送信した帰宅情報を受信すると、帰宅予想時刻を修正し、前記暖房装置が、帰宅予想時刻が修正された場合は、修正後の帰宅予想時刻におけるユーザの宅内の温度が所定の暖房目標温度になるようにプレ暖房運転における熱量を調節する。【選択図】図４
2019044997.tif 000002
【特許請求の範囲】
【請求項１】
ユーザによって操作される携帯端末装置と、
ユーザの宅内を暖房する暖房装置と、
ユーザの宅内の温度を検知する温度検知手段と、
制御手段を備えており、
前記暖房装置が、ユーザが帰宅すると予想される帰宅予想時刻より前の所定の暖房運転開始時刻になると、帰宅予想時刻におけるユーザの宅内の温度が所定の暖房目標温度になるように所定の熱量でユーザの宅内を暖房するプレ暖房運転を実行し、
ユーザが前記携帯端末装置に対して所定の操作を行うと、
前記携帯端末装置が、ネットワークを介して帰宅情報を送信し、
前記制御手段が、ネットワークを介して前記携帯端末装置が送信した帰宅情報を受信すると、帰宅予想時刻を修正し、
前記暖房装置が、帰宅予想時刻が修正された場合は、修正後の帰宅予想時刻におけるユーザの宅内の温度が所定の暖房目標温度になるようにプレ暖房運転における熱量を調節する、暖房システム。
【請求項２】
前記制御手段が、帰宅予想時刻と現在時刻の時刻差と、所定の暖房目標温度と温度検知手段によって検知される温度との温度差に基づいて定められている複数の熱量を記憶しており、記憶している複数の熱量からプレ暖房運転における熱量を決定する、請求項１に記載の暖房システム。
【請求項３】
ユーザの宅内に配置されており、ユーザが帰宅したことを検知する帰宅検知手段を更に備えており、
前記制御手段が、過去に前記帰宅検知手段が検知した時刻に基づいて、帰宅予想時刻を算出する、請求項１又は２に記載の暖房システム。
【請求項４】
ユーザの宅内に配置されており、ユーザが帰宅したことを検知する帰宅検知手段を更に備えており、
前記制御手段が、過去にユーザによって前記携帯端末装置に対して所定の操作が行われた時刻と、過去にユーザが帰宅したことを前記帰宅検知手段が検知した時刻に基づいて、帰宅情報受信後の帰宅予想時刻を修正する、請求項１から３のいずれか一項に記載の暖房システム。
【発明の詳細な説明】
【技術分野】
【０００１】
本明細書で開示する技術は、暖房システムに関する。
【背景技術】
【０００２】
特許文献１に開示されている暖房システムは、ユーザの宅内を暖房する暖房装置を備えている。特許文献１の暖房システムでは、所定のプレ暖房運転開始時刻になると、暖房装置がプレ暖房運転を開始する。
【先行技術文献】
【特許文献】
【０００３】
【特許文献１】特開２００５−２５７１６３号公報
【発明の概要】
【発明が解決しようとする課題】
【０００４】
暖房システムのユーザが帰宅することが予想される場合は、ユーザの帰宅予想時刻より前にユーザの宅内を暖房することが望ましい。しかしながら、ユーザの帰宅予想時刻は日によって異なり、帰宅予想時刻が早い日もあれば遅い日もある。ユーザの帰宅予想時刻が日によって異なると、帰宅予想時刻より前にユーザの宅内を適切に暖房することが難しくなる。例えば暖房が過剰になることや、暖房が不足することがある。そこで本明細書は、ユーザの帰宅予想時刻が変わったとしても、帰宅予想時刻までにユーザの宅内を適度な温度に暖房することができる技術を提供する。
【課題を解決するための手段】
【０００５】
本明細書に開示する暖房システムは、ユーザによって操作される携帯端末装置と、ユーザの宅内を暖房する暖房装置と、ユーザの宅内の温度を検知する温度検知手段と、制御手段を備えている。前記暖房装置が、ユーザが帰宅すると予想される帰宅予想時刻より前の所定の暖房運転開始時刻になると、帰宅予想時刻におけるユーザの宅内の温度が所定の暖房目標温度になるように所定の熱量でユーザの宅内を暖房するプレ暖房運転を実行し、ユーザが前記携帯端末装置に対して所定の操作を行うと、前記携帯端末装置が、ネットワークを介して帰宅情報を送信し、前記制御手段が、ネットワークを介して前記携帯端末装置が送信した帰宅情報を受信すると、帰宅予想時刻を修正し、前記暖房装置が、帰宅予想時刻が修正された場合は、修正後の帰宅予想時刻におけるユーザの宅内の温度が所定の暖房目標温度になるようにプレ暖房運転における熱量を調節する。
【０００６】
この構成によれば、ユーザが携帯端末装置を操作するとユーザの帰宅予想時刻が修正されるので、ユーザの帰宅予想時刻が変わったとしてもそれに対応することができる。また、帰宅予想時刻が修正された場合は暖房装置がプレ暖房運転における熱量を調節するので、修正後の帰宅予想時刻までにユーザの宅内を適度な温度に暖房することができる。例えば、帰宅予想時刻までの時間が短い場合は熱量を多くして宅内を暖房し、帰宅予想時刻までの時間が長い場合は熱量を少なくして宅内を暖房する。よって、ユーザの帰宅予想時刻が変わったとしても、帰宅予想時刻までにユーザの宅内を適度な温度に暖房することができる。
【０００７】
上記の暖房システムにおいて、前記制御手段が、帰宅予想時刻と現在時刻の時刻差と、所定の暖房目標温度と温度検知手段によって検知される温度との温度差に基づいて定められている複数の熱量を記憶しており、記憶している複数の熱量からプレ暖房運転における熱量を決定してもよい。
【０００８】
この構成によれば、時刻差と温度差に基づいてプレ暖房運転における熱量を決定するので、プレ暖房運転における熱量を帰宅予想時刻と暖房目標温度に応じた適切な熱量にすることができる。例えば、時刻差に対して温度差が大きい場合は熱量を多くし、時刻差に対して温度差が少ない場合は熱量を少なくすることによって、プレ暖房運転における熱量を適切な熱量にすることができる。
【０００９】
上記の暖房システムは、ユーザの宅内に配置されており、ユーザが帰宅したことを検知する帰宅検知手段を更に備えていてもよい。前記制御手段が、過去に前記帰宅検知手段が検知した時刻に基づいて、帰宅予想時刻を算出してもよい。
【００１０】
この構成によれば、ユーザの過去の行動に基づいて帰宅予想時刻を適切に設定することができる。例えば、ユーザが１９：００頃に帰宅することが多い場合は、帰宅予想時刻を１９：００頃に設定することができる。
【００１１】
また、前記制御手段が、過去にユーザによって前記携帯端末装置に対して所定の操作が行われた時刻と、過去にユーザが帰宅したことを前記帰宅検知手段が検知した時刻に基づいて、帰宅情報受信後の帰宅予想時刻を修正してもよい。
【００１２】
この構成によれば、ユーザの過去の行動に基づいて帰宅予想時刻を適切に修正することができる。例えば、ユーザが１８：４５頃に携帯端末装置を操作することが多く、１９：１５頃に帰宅することが多い場合は、帰宅に要する時間が約３０分であることが多いので、それに基づいて帰宅予想時刻を適切に修正することができる。
【図面の簡単な説明】
【００１３】
【図１】実施例に係る暖房システムの構成を模式的に示す図である。
【図２】実施例に係る第１熱量テーブルを示す図である。
【図３】実施例に係る第２熱量テーブルを示す図である。
【図４】実施例に係る暖房運転処理を示すフローチャートである。
【発明を実施するための形態】
【００１４】
実施例に係る暖房システム２について図面を参照して説明する。図１に示すように、実施例に係る暖房システム２は、暖房装置２１と、携帯端末装置３１と、サーバ５１（制御手段の一例）を備えている。暖房装置２１と携帯端末装置３１とサーバ５１は、インターネット１０１（ネットワークの一例）を介して接続されている。
【００１５】
暖房装置２１は、暖房システム２のユーザの自宅９１に設置されている。暖房装置２１は、ユーザの自宅９１の宅内９２を暖房する装置である。暖房装置２１の種類は特に限定されず、例えば床暖房、ガスファンヒータ等である。暖房装置２１は、プレ暖房運転と本暖房運転を実行可能である。プレ暖房運転は、本暖房運転の前にユーザの宅内９２を暖房する運転であり、本暖房運転は、プレ暖房運転の後にユーザの宅内９２を暖房する運転である。プレ暖房運転が先に実行され、その後に本暖房運転が実行される。暖房装置２１は、プレ暖房運転と本暖房運転の他に、給湯運転を実行可能な構成であってもよい。
【００１６】
暖房装置２１は、リモコン２２とホームゲートウェイ２３を介してインターネット１０１に接続されている。暖房装置２１とリモコン２２とホームゲートウェイ２３は、ユーザの宅内９２に配置されている。リモコン２２は、暖房装置２１に関する各種の設定を行うことができる装置である。例えば、リモコン２２によって暖房目標温度を設定することができる。暖房目標温度は、暖房装置２１がプレ暖房運転または本暖房運転を実行するときにその暖房運転において到達目標とする宅内９２の温度である。ホームゲートウェイ２３は、リモコン２２とインターネット１０１の間の通信を中継する装置である。
【００１７】
ユーザの宅内９２には、更に、温度センサ２４（温度検知手段の一例）と人感センサ２５（帰宅検知手段の一例）とＨＥＭＳコントローラ２６が配置されている。温度センサ２４と人感センサ２５は、ＨＥＭＳコントローラ２６とホームゲートウェイ２３を介してインターネット１０１に接続されている。
【００１８】
温度センサ２４は、ユーザの宅内９２の温度を検知する装置である。温度センサ２４がユーザの宅内９２の温度を検知すると、その温度を示す情報が温度センサ２４からインターネット１０１を介してサーバ５１に送信される。
【００１９】
人感センサ２５は、人（例えば暖房システム２のユーザ）を感知する装置である。人感センサ２５が人（ユーザ）を感知した場合は、宅内９２に人（ユーザ）が存在している。人感センサ２５が人（ユーザ）を感知しない場合は、宅内９２に人（ユーザ）が存在していない。人感センサ２５は、ユーザが自宅９１に帰宅すると、ユーザが帰宅したことを検知することができる。人感センサ２５が人（ユーザ）を感知した場合は、そのことを示す情報が人感センサ２５からインターネット１０１を介してサーバ５１に送信される。
【００２０】
ＨＥＭＳコントローラ２６は、温度センサ２４と人感センサ２５に関する各種の設定を行うことができる装置である。また、ＨＥＭＳコントローラ２６は、宅内９２で使用されるエネルギーの管理を行うこともできる。
【００２１】
携帯端末装置３１は、例えばスマートフォン、携帯電話等である。携帯端末装置３１は、ＣＰＵ、ＲＡＭ、ＲＯＭ等を備えており、各種の情報処理を実行する。携帯端末装置３１は、暖房システム２のユーザによって操作される。例えば、自宅９１に帰宅する予定のユーザが帰宅前に暖房装置２１によって宅内９２を暖房したい場合に、暖房装置２１に帰宅情報を送信するために携帯端末装置３１に対して所定の操作を行う。携帯端末装置３１は、ユーザによって所定の操作が行われると、インターネット１０１を介してサーバ５１に各種の情報を送信する。例えば、ユーザが携帯端末装置３１に所定の操作を行うことによって、携帯端末装置３１は、帰宅情報をインターネット１０１を介してサーバ５１に送信する。
【００２２】
サーバ５１は、各種の情報処理を実行する。サーバ５１が実行する情報処理については後述する。また、サーバ５１には、図２に示す第１熱量テーブル５０１と、図３に示す第２熱量テーブル５０２が記憶されている。
【００２３】
図２に示すように、第１熱量テーブル５０１には、暖房装置２１が本暖房運転を実行する際の複数の熱量レベルが記憶されている。例えば、０から５の熱量レベルが第１熱量テーブル５０１に記憶されている。第１熱量テーブル５０１に記憶されている熱量レベルは、本暖房運転における熱量に対応している。また、本暖房運転の複数の熱量レベルは、温度差Ｔ１に応じて設定されている。この温度差Ｔ１は、暖房目標温度Ｔｓと、温度センサ２４によって検知される現在の宅内９２の温度Ｔｘとの温度差である。すなわち、Ｔ１＝Ｔｓ−Ｔ１である。例えば、温度差Ｔ１（＝Ｔｓ−Ｔｘ）が５℃以上である場合は、本暖房運転の熱量レベルが５である。
【００２４】
図３に示すように、第２熱量テーブル５０２には、暖房装置２１がプレ暖房運転を実行する際の複数の熱量レベルが記憶されている。例えば、１から５の熱量レベルが第２熱量テーブル５０２に記憶されている。第２熱量テーブル５０２に記憶されている熱量レベルは、プレ暖房運転における熱量に対応している。また、プレ暖房運転の複数の熱量レベルは、温度差Ｔ１と時刻差ｔ１の比Ｐ１（＝Ｔ１／ｔ１）に応じて設定されている。温度差Ｔ１は上述した通りである。また、時刻差ｔ１は、ユーザの帰宅予想時刻ｔｅと現在時刻ｔｘとの時刻差である。すなわち、ｔ１＝ｔｅ−ｔｘである。例えば、比Ｐ１（＝Ｔ１／ｔ１）が５／３０以上である場合は、プレ暖房運転の熱量レベルが５である。
【００２５】
次に、暖房システム２で実行される暖房運転処理について説明する。この暖房運転処理は、ユーザの宅内９２の温度が暖房目標温度未満である場合に実行される。ユーザの宅内９２の温度は、ユーザの宅内９２に配置されている温度センサ２４によって検知されている。なお、ユーザの宅内９２の温度が暖房目標温度以上である場合に、ユーザから暖房運転の要求があった場合には、プレ暖房運転を行わずに、本暖房運転のみを行ってもよい。
【００２６】
図４に示すように、暖房運転処理のステップＳ１１では、サーバ５１が、帰宅予想時刻を設定する。帰宅予想時刻は、ユーザが帰宅すると予想される時刻である。サーバ５１は、過去にユーザが帰宅した時刻に基づいて帰宅予想時刻を設定する。ユーザが帰宅した時刻に関する過去のデータはサーバ５１に記憶されている。また、帰宅予想時刻は、後述するように、暖房装置２１が本暖房運転を開始する時刻である。帰宅予想時刻と本暖房運転開始時刻は同じ時刻である。帰宅予想時刻（本暖房運転開始時刻）は、例えば１９：００である。
【００２７】
続いてステップＳ１２では、サーバ５１が、プレ暖房運転開始時刻を設定する。プレ暖房運転開始時刻は、暖房装置２１がプレ暖房運転を開始する時刻である。プレ暖房運転開始時刻は、帰宅予想時刻（本暖房運転開始時刻）より所定時間前の時刻である。所定時間は、例えば３０分である。プレ暖房運転開始時刻は、例えば１８：３０である。なお、所定時間は、現在の宅内９２の温度Ｔｘ、暖房目標温度Ｔｓ、自宅９１の宅外温度および暖房装置２１が有する暖房能力等から算出してもよい。
【００２８】
続いてステップＳ１３では、サーバ５１が、ユーザが在宅しているか否かを判断する。ユーザの宅内９２に配置されている人感センサ２５がユーザを感知した場合は、ユーザが在宅している。ユーザが在宅している場合は、ステップＳ１３でサーバ５１がＹＥＳと判断し、ステップＳ１４からステップＳ２０をスキップしてステップＳ２１に進む。一方、ユーザが在宅していない場合は、サーバ５１がＮＯと判断してステップＳ１４に進む。
【００２９】
続いてステップＳ１４では、サーバ５１が、プレ暖房運転開始時刻が到来したか否かを判断する。プレ暖房運転開始時刻が到来した場合は、ステップＳ１４でサーバ５１がＹＥＳと判断してステップＳ１５に進む。一方、プレ暖房運転開始時刻が到来していない場合は、サーバ５１がＮＯと判断してステップＳ１３に戻る。
【００３０】
続いてステップＳ１５では、サーバ５１が、暖房装置２１にプレ暖房運転を実行するように指示する。具体的には、サーバ５１が、インターネット１０１を介して暖房装置２１にプレ暖房運転の実行指示情報を送信する。暖房装置２１は、プレ暖房運転の実行指示情報を受信するとプレ暖房運転を開始する。暖房装置２１は、所定の熱量でプレ暖房運転を実行する。プレ暖房運転における熱量は、サーバ５１に記憶されている第２熱量テーブル５０２に基づいて決定される。暖房装置２１は、ユーザの帰宅予想時刻におけるユーザの宅内９２の温度（温度センサ２４によって検知される温度）が所定の暖房目標温度になるようにプレ暖房運転を実行する。
【００３１】
続いてステップＳ１６では、サーバ５１が、ユーザが在宅しているか否かを判断する。ユーザの宅内９２に配置されている人感センサ２５がユーザを感知した場合は、ユーザが在宅している。ユーザが在宅している場合は、ステップＳ１６でサーバ５１がＹＥＳと判断してステップＳ２１に進む。一方、ユーザが在宅していない場合は、サーバ５１がＮＯと判断してステップＳ１７に進む。
【００３２】
続いてステップＳ１７では、サーバ５１が、携帯端末装置３１から帰宅情報を受信したか否かを判断する。帰宅情報は、ユーザが携帯端末装置３１に所定の操作を行うことによって、ユーザの携帯端末装置３１からインターネット１０１を介してサーバ５１に送信される。ユーザは、例えば帰宅を開始する直前に帰宅情報を送信する。ユーザによって携帯端末装置３１に対して所定の操作が行われると、携帯端末装置３１は、インターネット１０１を介してサーバ５１に帰宅情報を送信する。サーバ５１は、帰宅情報を受信した場合は、ステップＳ１７でＹＥＳと判断してステップＳ１８に進む。一方、帰宅情報を受信しない場合は、ＮＯと判断し、ステップＳ１８をスキップしてステップＳ１９に進む。
【００３３】
続いてステップＳ１８では、サーバ５１が、上記のステップＳ１１で設定した帰宅予想時刻を修正する。サーバ５１は、過去のデータに基づいて帰宅予想時刻を修正する。具体的には、サーバ５１は、上記のステップＳ１７で帰宅情報を受信した時刻（すなわち、ユーザが携帯端末装置３１に対して所定の操作を行った時刻）と、過去にユーザが帰宅に要した時間とに基づいて帰宅予想時刻を修正する。ユーザが帰宅に要した時間に関する過去のデータはサーバ５１に記憶されている。例えば、サーバ５１が帰宅情報を受信した時刻が１８：４５であり、過去にユーザが帰宅に要した時間が３０分である場合は、サーバ５１は、帰宅予想時刻を１９：１５に修正する。なお、過去にユーザが帰宅に要した時間は、ユーザが予めサーバ５１に登録しておいてもよい。
【００３４】
続いてステップＳ１９では、サーバ５１が、プレ暖房運転における熱量を調節するように暖房装置２１に指示する。サーバ５１は、第２熱量テーブル５０２に基づいてプレ暖房運転の熱量レベルを決定する。なお、第２熱量テーブル５０２におけるプレ暖房運転の複数の熱量レベルは、上述したように、温度差Ｔ１と時刻差ｔ１の比Ｐ１（＝Ｔ１／ｔ１）に応じて設定されている。このときの時刻差ｔ１は、ユーザの帰宅予想時刻ｔｅ（帰宅予想時刻ｔｅが修正された場合は修正後の帰宅予想時刻ｔｅ）と、現在時刻ｔｘとの時刻差である。サーバ５１は、プレ暖房運転の熱量レベルを決定し、インターネット１０１を介して暖房装置２１に熱量レベルの調節指示情報を送信する。暖房装置２１は、熱量レベルの調節指示情報を受信すると、プレ暖房運転における熱量を調節する。暖房装置２１は、プレ暖房運転における熱量を、サーバ５１が決定した熱量レベルに対応する熱量に調節する。つまり、暖房装置２１は、帰宅予想時刻（上記のステップＳ１８で修正された場合は修正後の帰宅予想時刻）におけるユーザの宅内９２の温度（温度センサ２４によって検知される温度）が所定の暖房目標温度になるようにプレ暖房運転における熱量を調節する。
【００３５】
続いてステップＳ２０では、サーバ５１が、帰宅予想時刻が到来したか否かを判断する。上記のステップＳ１８で帰宅予測時刻が修正された場合は、サーバ５１は、修正後の帰宅予想時刻が到来したか否かを判断する。帰宅予想時刻は、本暖房運転開始時刻と同じ時刻である。帰宅予想時刻が到来した場合は、ステップＳ２０でサーバ５１がＹＥＳと判断してステップＳ２１に進む。一方、帰宅予想時刻が到来していない場合は、サーバ５１がＮＯと判断して上記のステップＳ１６に戻る。
【００３６】
続いてステップＳ２１では、サーバ５１が、暖房装置２１に本暖房運転を実行するように指示する。サーバ５１は、インターネット１０１を介して暖房装置２１に本暖房運転の実行指示情報を送信する。暖房装置２１は、本暖房運転の実行指示情報を受信すると本暖房運転を開始する。暖房装置２１は、所定の熱量で本暖房運転を実行する。本暖房運転における熱量は、サーバ５１に記憶されている第１熱量テーブル５０１に基づいて決定される。その後、サーバ５１が暖房運転処理を終了する。
【００３７】
以上、実施例に係る暖房システム２について説明した。上記の説明から明らかなように、暖房システム２は、ユーザによって操作される携帯端末装置３１と、ユーザの宅内９２を暖房する暖房装置２１と、ユーザの宅内９２の温度を検知する温度センサ２４と、サーバ５１を備えている。この暖房システム２では、暖房装置２１が、ユーザが帰宅すると予想される帰宅予想時刻より前の所定の暖房運転開始時刻になると、帰宅予想時刻におけるユーザの宅内９２の温度が所定の暖房目標温度になるように所定の熱量でユーザの宅内９２を暖房するプレ暖房運転を実行する（ステップＳ１５参照）。また、携帯端末装置３１が、帰宅予定のユーザによって所定の操作が行われると、インターネット１０１を介して帰宅情報を送信する。また、サーバ５１が、インターネット１０１を介して携帯端末装置３１が送信した帰宅情報を受信すると、ユーザが帰宅すると予想される帰宅予想時刻を修正する（ステップＳ１７、Ｓ１８参照）。そして、暖房装置２１が、帰宅予想時刻（帰宅予想時刻が修正された場合は、修正後の帰宅予想時刻）におけるユーザの宅内９２の温度が所定の暖房目標温度になるようにプレ暖房運転における熱量を調節する（ステップＳ１９参照）。
【００３８】
この構成によれば、ユーザが携帯端末装置３１に対して所定の操作を行うと、ユーザが帰宅すると予想される帰宅予想時刻が修正されるので、ユーザの都合によって帰宅予想時刻が変わったとしてもそれに応じたプレ暖房運転を実行することができる。また、帰宅予想時刻が修正された場合は、それに応じて暖房装置２１がプレ暖房運転における熱量を調節することによって、例えば、帰宅予想時刻までの時間が短い場合は熱量を多くして宅内９２を暖房することができ、帰宅予想時刻までの時間が長い場合は熱量を少なくして宅内９２を暖房することができる。よって、ユーザの帰宅予想時刻が変わったとしても、修正後の帰宅予想時刻までにユーザの宅内９２を適度な温度に暖房することができる。
【００３９】
また、上記の暖房システム２では、サーバ５１が、ユーザが帰宅すると予想される帰宅予想時刻と現在時刻の時刻差ｔ１と、所定の暖房目標温度と温度センサ２４によって検知されるユーザの宅内９２の温度との温度差Ｔ１に基づいて定められている複数の熱量を第２熱量テーブル５０２に記憶しており、記憶している複数の熱量からプレ暖房運転における熱量を決定する。
【００４０】
この構成によれば、サーバ５１が時刻差ｔ１と温度差Ｔ１に基づいてプレ暖房運転における熱量を決定するので、プレ暖房運転における熱量を帰宅予想時刻と暖房目標温度に応じた適切な熱量にすることができる。例えば、時刻差ｔ１に対して温度差Ｔ１が大きい場合は熱量を多くし、時刻差ｔ１に対して温度差Ｔ１が少ない場合は熱量を少なくすることによって、プレ暖房運転における熱量を適切な熱量にすることができる。
【００４１】
以上、一実施例について説明したが、具体的な態様は上記実施例に限定されるものではない。以下の説明において、上述の説明における構成と同様の構成については、同一の符号を付して説明を省略する。
【００４２】
他の実施例では、サーバ５１が、ユーザが帰宅したことを人感センサ２５が検知した時刻を蓄積して記憶してもよい。また、サーバ５１が、ユーザが携帯端末装置３１に対して所定の操作を行った時刻（すなわち、サーバ５１が帰宅情報を受信した時刻）を蓄積して記憶してもよい。例えば、サーバ５１が過去１ヶ月間にわたる時刻情報を蓄積してもよい。  
【００４３】
また、サーバ５１が、上記のステップＳ１１で帰宅予想時刻を設定する際には、過去にユーザが帰宅したことを人感センサ２５が検知した時刻に基づいて、ユーザが帰宅すると予想される帰宅予想時刻を算出してもよい。サーバ５１は、蓄積されている過去のデータに基づいて帰宅予想時刻を設定する。例えば、ユーザが１９：００頃に帰宅することが多い場合は、サーバ５１が帰宅予想時刻を１９：００頃に設定する。この構成によれば、ユーザの過去の行動に基づいて帰宅予想時刻を適切に設定することができる。
【００４４】
また、サーバ５１が、上記のステップＳ１８で帰宅予想時刻を修正する際には、過去に帰宅予定のユーザによって携帯端末装置３１に対して所定の操作が行われた時刻と、過去にユーザが帰宅したことを人感センサ２５が検知した時刻に基づいて、ユーザが帰宅すると予想される帰宅予想時刻を修正してもよい。サーバ５１は、蓄積されている過去のデータに基づいて帰宅予想時刻を修正する。例えば、ユーザが１８：４５頃に携帯端末装置３１に所定の操作を行うことが多く、１９：１５頃に帰宅することが多い場合は、帰宅に要する時間が約３０分であることが多いので、サーバ５１が帰宅予想時刻を修正する際には、３０分の修正を行う。この構成によれば、ユーザの過去の行動に基づいて帰宅予想時刻を適切に修正することができる。
【００４５】
上記の実施例では、制御手段の一例としてサーバ５１について説明したが、この構成に限定されるものではなく、制御手段の他の例としては、例えば、リモコン２２またはＨＥＭＳコントローラ２６が挙げられる。リモコン２２またはＨＥＭＳコントローラ２６が上述した暖房運転処理を実行してもよい。また、制御手段は、暖房装置２１内に備えられたものであってもよい。  
【００４６】
暖房装置２１が床暖房である場合は、宅内９２の温度は床面の温度であってもよい。また、宅内９２に複数の部屋がある場合は、宅内９２の温度は暖房装置２１が配置されている部屋内の温度であってもよい。さらに、温度センサ２４は、リモコン２２または暖房装置２１内に備えられていてもよい。
【００４７】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００４８】
２      ：暖房システム
２１    ：暖房装置
２２    ：リモコン
２３    ：ホームゲートウェイ
２４    ：温度センサ
２５    ：人感センサ
２６    ：ＨＥＭＳコントローラ
３１    ：携帯端末装置
５１    ：サーバ
９１    ：自宅
９２    ：宅内
１０１  ：インターネット
【図１】
2019044997.tif 000003
【図２】
2019044997.tif 000004
【図３】
2019044997.tif 000005
【図４】
2019044997.tif 000006